(57)【要約】【課題】この発明は、衝撃に強く信頼性の高い電子機器を提供することを課題とする。【解決手段】ディスク装置１００は、ハードディスクドライブ１、ダンパ４０、プリント回路基板４２、およびこれらＨＤＤ１、ダンパ４０、ＰＣＢ４２を収容したケース５０を有する。ＨＤＤ１のコネクタ２の接続方向とＰＣＢ４２のコネクタ６の接続方向が９０°異ならせてあり、両者を接続するフラットケーブル４が途中の２箇所で折り曲げられている。【選択図】　　図２
2004014032.tif 000002
【特許請求の範囲】
【請求項１】
第１の接続端子を有する第１の電子部品と、
この第１の電子部品を移動可能に保持した保持部材と、
上記第１の接続端子と相対的に接続方向が異なる第２の接続端子を有する第２の電子部品と、
を備えていることを特徴とする電子機器。
【請求項２】
上記保持部材は、上記第１の電子部品に外部から与えられる衝撃を吸収するための緩衝部材を含むことを特徴とする請求項１に記載の電子機器。
【請求項３】
上記第１および第２の接続端子は、０°より大きく１８０°より小さい角度でその接続方向が異なることを特徴とする請求項１に記載の電子機器。
【請求項４】
第１の接続端子を有する第１の電子部品と、
この第１の電子部品を移動可能に保持した保持部材と、
上記第１の接続端子と相対的に接続方向が異なる第２の接続端子を有する第２の電子部品と、
上記第１および第２の接続端子を接続する接続線と、
を備えていることを特徴とする電子機器。
【請求項５】
上記保持部材は、上記第１の電子部品に外部から与えられる衝撃を吸収するための緩衝部材を含むことを特徴とする請求項４に記載の電子機器。
【請求項６】
上記接続線は、面方向に折り曲げ可能なフラットケーブルを含むことを特徴とする請求項４に記載の電子機器。
【請求項７】
上記第１の接続端子に対する上記フラットケーブルの接続方向と、上記第２の接続端子に対する上記フラットケーブルの接続方向とは、０°より大きく１８０°より小さい角度で異なることを特徴とする請求項６に記載の電子機器。
【請求項８】
上記フラットケーブルは、面方向に２箇所で折り曲げた状態で上記第１および第２の接続端子を接続することを特徴とする請求項７に記載の電子機器。
【請求項９】
ケースと、
このケース内に配置された第１の接続端子を有する第１の電子部品と、
この第１の電子部品を上記ケースに対して移動可能に保持した保持部材と、
上記ケース内に配置され、上記第１の接続端子と相対的に接続方向が異なる第２の接続端子を有する第２の電子部品と、
上記第１および第２の接続端子を接続する接続線と、
を備えていることを特徴とする電子機器。
【請求項１０】
上記保持部材は、上記ケースの外側から与えられる衝撃を吸収するための緩衝部材を含むことを特徴とする請求項９に記載の電子機器。
【請求項１１】
上記接続線は、上記ケース内で、面方向に折り曲げ可能なフラットケーブルを含むことを特徴とする請求項９に記載の電子機器。
【請求項１２】
上記第１の接続端子に対する上記フラットケーブルの接続方向と、上記第２の接続端子に対する上記フラットケーブルの接続方向とは、０°より大きく１８０°より小さい角度で異なることを特徴とする請求項１１に記載の電子機器。
【請求項１３】
上記フラットケーブルは、面方向に２箇所で折り曲げた状態で上記第１および第２の接続端子を接続することを特徴とする請求項１２に記載の電子機器。
【請求項１４】
上記第１の電子部品は、
ディスク状の記録媒体と、
この記録媒体を支持および回転駆動するモータと、
上記記録媒体に対して情報の記録および再生を行なうヘッドと、
このヘッドを上記記録媒体に沿って移動させるアクチュエータと、
上記記録媒体、モータ、ヘッド、およびアクチュエータを収容した筐体と、
この筐体の外側に露出して設けられた上記第１の接続端子と、
を備えていることを特徴とする請求項１３に記載の電子機器。
【請求項１５】
上記第２の電子部品は、基板の上に回路素子を実装しているとともに上記第２の接続端子を備えた回路基板であり、上記第１の電子部品の筐体に近接して対向配置されていることを特徴とする請求項１４に記載の電子機器。
【発明の詳細な説明】
【０００１】
【発明の属する技術分野】
この発明は、相対的に移動可能な２つの電子部品の接続端子を接続線で接続した電子機器に係り、特に、衝撃を吸収するための緩衝部材を備えたハードディスクドライブ（以下、ＨＤＤと称する）をフラットケーブルを介して回路基板に接続した電子機器に関する。
【０００２】
【従来の技術】
例えば、パーソナルコンピュータ等の電子機器には、大容量記憶装置としてのＨＤＤが内蔵されている。一般に、ＨＤＤは、比較的安価なフラットケーブルを介して回路基板に接続される。フラットケーブルは、複数本のコードを並設した偏平な形状を有し、その面方向に折り曲げ可能であるとともに、コードの並び方向に折り曲げ不可能な構造を有する。
【０００３】
このため、ＨＤＤと回路基板を重ねた状態に配置して、ＨＤＤのコネクタと回路基板のコネクタをフラットケーブルで接続する場合、各コネクタの取り付け位置をその接続方向が１８０°異なるように予め設計しておき、フラットケーブルを途中でＵ字形に１８０°折り曲げて接続していた。
【０００４】
【発明が解決しようとする課題】
しかし、ＨＤＤは、外部からの衝撃を吸収するための緩衝部材を備えており、衝撃により僅かに振動する。このとき、ＨＤＤが回路基板に対して相対的に移動し、フラットケーブルに負荷がかかる。フラットケーブルにかかる負荷が上述したコードの並び方向に沿った負荷である場合、コネクタに負荷がかかり破損の原因になるとともにケーブルが抜けてしまう場合があった。
【０００５】
この発明は、以上の点に鑑みなされたもので、その目的は、衝撃に強く信頼性の高い電子機器を提供することにある。
【０００６】
【課題を解決するための手段】
上記目的を達成するため、本発明の電子機器は、第１の接続端子を有する第１の電子部品と、この第１の電子部品を移動可能に保持した保持部材と、上記第１の接続端子と相対的に接続方向が異なる第２の接続端子を有する第２の電子部品と、を備えている。
【０００７】
また、本発明の電子機器は、第１の接続端子を有する第１の電子部品と、この第１の電子部品を移動可能に保持した保持部材と、上記第１の接続端子と相対的に接続方向が異なる第２の接続端子を有する第２の電子部品と、上記第１および第２の接続端子を接続する接続線と、を備えている。
【０００８】
更に、本発明の電子機器は、ケースと、このケース内に配置された第１の接続端子を有する第１の電子部品と、この第１の電子部品を上記ケースに対して移動可能に保持した保持部材と、上記ケース内に配置され、上記第１の接続端子と相対的に接続方向が異なる第２の接続端子を有する第２の電子部品と、上記第１および第２の接続端子を接続する接続線と、を備えている。
【０００９】
【発明の実施の形態】
以下、図面を参照しながらこの発明の実施の形態について詳細に説明する。
【００１０】
図１には、ハードディスクドライブ１（ＨＤＤ）（第１の電子部品）の蓋体１５を取り外した状態の分解斜視図を示してある。ＨＤＤ１は、密閉された扁平な矩形状の筐体１１を備え、この筐体１１は、上面の開口した矩形箱状の本体１０と、複数のねじ１６により本体１０にねじ止めされて本体１０の上端開口を閉塞する矩形板状の蓋体１５と、を有している。
【００１１】
本体１０内には、記録媒体としての２枚の磁気ディスク１２ａ、１２ｂ、これらの磁気ディスク１２ａ、１２ｂを支持および回転駆動させるスピンドルモータ１３（モータ）、磁気ディスク１２ａ、１２ｂに対して情報の記録、再生を行なう複数の磁気ヘッド２２（ヘッド）、これらの磁気ヘッド２２を磁気ディスク１２ａ、１２ｂに沿って移動自在に支持したヘッドアクチュエータ１４（アクチュエータ）、ヘッドアクチュエータ１４を回動および位置決めするボイスコイルモータ（以下ＶＣＭと称する）１９、磁気ヘッド２２が磁気ディスク１２ａ、１２ｂの最外周に移動した際、磁気ヘッド２２を磁気ディスク１２ａ、１２ｂから離間した位置に保持するランプロード機構１８、ヘッドクチュエータ１４を退避位置に保持するイナーシャラッチ機構２０、およびプリアンプ等の回路部品が実装されたフレキシブルプリント回路基板ユニット（以下、ＦＰＣユニットと称する）１７が収納されている。
【００１２】
本体１０の長手方向に沿った一端には、後述するプリント回路基板４２のコネクタ６とフラットケーブル４を介して接続するためのコネクタ２（第１の接続端子）が筐体１１から外側に露出して設けられている。コネクタ２は、フラットケーブル４の接続方向に沿って延びた複数本のピン２ａを有する。
【００１３】
各磁気ディスク１２ａ、１２ｂは、例えば、直径６５ｍｍ（２．５インチ）に形成され、上面および下面に磁気記録層を有している。２枚の磁気ディスク１２ａ、１２ｂは、スピンドルモータ１３の図示しないハブに互いに同軸的に嵌合されているとともにクランプばね２１によりクランプされ、ハブの軸方向に沿って所定の間隔をおいて積層されている。そして、磁気ディスク１２ａ、１２ｂは、スピンドルモータ１３により所定の速度で回転駆動される。
【００１４】
ヘッドアクチュエータ１４は、本体１０の底壁上に固定された軸受組立体２４、軸受組立体２４に取り付けられた４本のアーム２７、および各アーム２７に支持された４つの磁気ヘッド組立体３０を備えている。各磁気ヘッド組立体３０は、板ばねによって形成された細長いサスペンションと、サスペンションに固定された磁気ヘッド２２と、を備えている。
【００１５】
そして、各磁気ヘッド２２は、アーム２７およびサスペンションの表面に貼り付け固定された図示しない中継フレキシブルプリント回路基板、およびメインフレキシブル回路基板３２を介してＦＰＣユニット１７に電気的に接続されている。
【００１６】
ＨＤＤ１の動作時、磁気ディスク１２ａ、１２ｂがスピンドルモータ１３によって高速回転されて、ヘッドアクチュエータ１４がＶＣＭ１９によって回動され、磁気ヘッド２２が磁気ディスク１２ａ、１２ｂ上を略半径方向に沿って移動し、所望のトラック上に位置決めされる。
【００１７】
上述したＨＤＤ１は、磁気ヘッド２２を磁気ディスク１２の表面に対して微小ギャップを介して対向させる必要があるため、筐体外部から不所望な振動が与えられると、磁気ヘッド２２が高速回転する磁気ディスク１２に容易に接触してしまい、正常な動作が不可能になるばかりか、最悪の場合、磁気ヘッド２２および／或いは磁気ディスク１２が破損してしまうことが考えられる。
【００１８】
このため、通常、ＨＤＤ１は、衝撃を吸収させるための緩衝部材としてのダンパを取り付けた状態で、パーソナルコンピュータ等の電子機器内に組み込まれる。これにより、不所望な衝撃による上述した不具合を防止するようにしている。
【００１９】
図２には、緩衝部材としてのダンパ４０（保持部材）を介してＨＤＤ１をケース５０に収容したこの発明の実施の形態に係るディスク装置１００（電子機器）の分解平面図を示してある。このディスク装置１００は、ＨＤＤ１をパーソナルコンピュータ等の電子機器に直接取り付けるのではなく略矩形状のケース５０（図３参照）内に収容して携帯可能としたことを特徴としている。尚、以下の説明では、略矩形板状のＨＤＤ１に関し、磁気ディスク１２の回転軸に沿った図中上下方向を厚さ方向（図中矢印Ｔ方向）とし、長手方向（図中矢印Ｌ方向）を長さ方向とし、短手方向（図中矢印Ｗ方向）を幅方向とする。
【００２０】
ディスク装置１００は、上述したＨＨＤ１の他に、２つのダンパ４０、プリント回路基板４２（第２の電子部品）（以下、単にＰＣＢ４２と称する）、およびこれらＨＤＤ１、ダンパ４０、ＰＣＢ４２を収容したケース５０を有する。ダンパ４０は、左右対象形に形成されており、コネクタ２が露出した端部と直交するＨＤＤ１の縁部１ａ、１ｂにそれぞれ取り付けられる。
【００２１】
ダンパ４０は、ＨＤＤ１の筐体１１の長さ方向Ｌに沿った縁部１ａ（１ｂ）を嵌入可能なスリット４１を有する細長い略矩形ブロック状のゴムなどの緩衝部材により形成されている。スリット４１は、ダンパ４０の全長より僅かに短く形成され、筐体１１の縁部１ａをダンパ４０の略中央位置まで受け入れ可能な深さを有する。
【００２２】
ＰＣＢ４２は、ＨＤＤ１の筐体１１と略同じ矩形板状に形成され、ＨＤＤ１のＦＰＣユニット１７を介してスピンドルモータ１３、ＶＣＭ１９、および磁気ヘッド２２の動作を制御するための複数の回路素子（図示せず）を実装している。ＰＣＢ４２は、ＨＤＤ１の筐体１１の厚さ方向Ｔに近接して蓋体１５に対向する位置に配置され、ダンパ４０を取り付けた状態のＨＤＤ１とともにケース５０内に収容される。また、ＰＣＢ４２は、ＨＤＤ１のコネクタ２とフラットケーブル４を介して接続するためのコネクタ６（第２の接続端子）をその上面に有する。
【００２３】
ＰＣＢ４２のコネクタ６は、ＨＤＤ１のコネクタ２に対するフラットケーブル４の接続方向（本実施の形態では長さ方向Ｌ）とコネクタ６に対するフラットケーブル４の接続方向（本実施の形態では幅方向Ｗ）とが異なるように、予めその取り付け角度が設計されている。つまり、各コネクタ２、６の相対的な位置関係は、フラットケーブル４の各コネクタ２、６に対する接続方向が０°より大きく１８０°より小さい角度で異なるように予め設計されている。本実施の形態では、コネクタ６の接続方向がコネクタ２の接続方向と９０°異なるように、各コネクタ２、６の取り付け位置および取り付け角度が予め設計されている。
【００２４】
フラットケーブル４（接続線）は、図示しない複数本のコードを並設して被覆した偏平な形状に形成されている。このため、フラットケーブル４は、面方向に折り曲げ可能であるとともに、コードの並び方向に折り曲げ不可能となっている。
【００２５】
本実施の形態では、ＨＤＤ１とＰＣＢ４２を重ねてケース５０内に収容しているとともに、コネクタ２、６の接続方向を９０°異ならせているため、フラットケーブル４は、途中でＵ字形に１８０°面方向に折り曲げられているとともに、他の個所で略９０°面方向に折り曲げられている。これにより、外部から衝撃が与えられてＨＤＤ１がＰＣＢ４２に対して相対的に振動した場合であっても、ＨＤＤ１のあらゆる方向への移動を許容でき、フラットケーブル４の幅方向に負荷がかかることがなく、コネクタ２、６が破損したり、フラットケーブル４が抜けることを防止している。
【００２６】
例えば、ＨＤＤ１がＰＣＢ４２に対して長さ方向Ｌに相対的に移動するとフラットケーブル４のＵ字形に折り曲げられた部分が移動を許容するように変形し、ＨＤＤ１が幅方向Ｗに移動するとフラットケーブル４の他の折り曲げ部分が移動を許容するように変形し、ＨＤＤ１が厚さ方向Ｔに移動するとフラットケーブル４の２つの折り曲げ箇所が移動を許容するように変形する。
【００２７】
ケース５０は、略矩形箱状の下部分５１および上部分５２を有し、ＨＤＤ１、ダンパ４０、およびＰＣＢ４２を内部に収容して貼り合せることにより、図３に示すようにディスク装置１００を形成する。ケース５０は、少なくとも、ＨＤＤ１の筐体１１に対して非接触状態で取り付けられる。
【００２８】
以上のように、本実施の形態によると、ダンパ４０を介してＨＤＤ１をケース５０に収容することでＨＤＤ１の移動を許容し、ＨＤＤ１に重大な衝撃が加わることを防止するようにした。その上で、ＨＤＤ１がＰＣＢ４２に対して相対的に移動することによるコネクタ２、６の破損およびフラットケーブル４の抜けを防止するため、ＨＤＤ１のコネクタ２とＰＣＢ４２のコネクタ６を相対的に角度を異ならせた。さらに、角度を異ならせたコネクタ２、６を接続するフラットケーブル４を途中の２箇所で面方向に折り曲げるようにした。
【００２９】
このように、コネクタ２、６の角度を異ならせてフラットケーブル４を２箇所で折り曲げることにより、両者を接続するフラットケーブル４の幅方向に沿った負荷を低減させることができ、コネクタ２、６の破損を防止できるとともに、フラットケーブル４がコネクタ２、６から抜けることを防止でき、耐衝撃性に優れた信頼性の高いディスク装置１００を提供できる。
【００３０】
また、本実施の形態によると、フラットケーブル４を２箇所で折り曲げることにより、ＨＤＤ１の全ての方向（長さ方向Ｌ、幅方向Ｗ、厚さ方向Ｔ）に対する移動を許容でき、コネクタ２、６の取り付け位置および取り付け角度に関する設計の自由度を高めることができる。これにより、コネクタ２、６をフラットケーブル４の配線および接続が容易な所望する個所に自由に設定することができ、ディスク装置１００の組立作業をも容易にできる。
【００３１】
尚、この発明は、上述した実施の形態に限定されるものではなく、この発明の範囲内で種々変形可能である。例えば、上述した実施の形態では、ＨＤＤ１とＰＣＢ４２を接続する接続線として比較的安価なフラットケーブル４を用いた場合について説明したが、これに限らず、比較的高価なフレキシブルプリンテッドサーキット基板（ＦＰＣ）をフラットケーブル４に変えて用いても良い。
【００３２】
また、上述した実施の形態では、磁気ディスク１２に情報を記録するＨＤＤ１をＰＣＢ４２に接続するフラットケーブル４の接続構造として本発明を説明したが、ＣＤＲやＤＶＤなどの他のディスク装置に本発明を適用することもできる。また、上述した本発明の接続構造は、自動車、船舶、航空機等の移動する乗り物に搭載された電子部品同士の接続に有利である。
【００３３】
【発明の効果】
以上説明したように、この発明の電子機器は、上記のような構成および作用を有しているので、衝撃に強く信頼性が高い。
【図面の簡単な説明】
【図１】この発明の実施の形態に係る電子機器に組み込まれるＨＤＤの内部構造を示す分解斜視図。
【図２】図１のＨＤＤを備えた電子機器を示す分解斜視図。
【図３】図２の電子機器の外観斜視図。
【符号の説明】
１…ハードディスクドライブ（ＨＤＤ）、
２、６…コネクタ、
４…フラットケーブル、
１１…筐体、
１２…磁気ディスク、
１４…ヘッドアクチュエータ、
２２…磁気ヘッド、
４０…ダンパ、
５０…ケース、
１００…ディスク装置。
【図１】
2004014032.tif 000003
【図２】
2004014032.tif 000004
【図３】
2004014032.tif 000005